(57)【要約】【課題】運転オフ後わざわざリモコンスイッチ収納部に収納しないと電源を遮断することができないので、収納を忘れると電源が遮断できなかった。【解決手段】遠隔制御装置１から、開閉手段２を使用し、複数の室内機と室外機の電源を個別またはグループでパワーリレーを開閉して遮断することができ、遠隔制御を行うビル管理者が機器の電源を管理することができ、省エネを図ることができる空気調和機の遠隔制御装置を提供することができる。【選択図】図１
2009074712.tif 000002
【特許請求の範囲】
【請求項１】
複数の室内機と室外機を遠隔で制御する遠隔制御装置と、前記遠隔制御装置内に空気調和機内に設けられたパワーリレーを開閉する開閉手段と、空気調和機を前記遠隔制御装置から複数の室内機と室外機を制御し開閉信号を送受信する制御手段と、前記遠隔制御装置と室内機と室外機とを接続する通信線とを備え、遠隔制御装置からの開閉手段の入力があると、遠隔制御装置の制御手段が、室内機と室外機の制御手段に開閉信号を送信しパワーリレーを開閉することを特徴とする空気調和機の遠隔制御装置。
【請求項２】
空気調和機の遠隔制御装置に、開閉手段から開閉信号を入力した時に機器の電源状態を表示する表示手段を備えたことを特徴とする請求項１に記載の空気調和機の遠隔制御装置。
【請求項３】
空気調和機の遠隔制御装置に、開閉したいパワーリレーを個別またはグループで選択することができ、開閉手段から開閉信号を入力することで、個別またはグループでパワーリレーを開閉できる個別／グループ設定手段を備えたことを特徴とする請求項１に記載の空気調和機の遠隔制御装置。
【発明の詳細な説明】
【技術分野】
【０００１】
本発明は、空気調和機の電源を開閉する遠隔制御装置に関する。
【背景技術】
【０００２】
従来、空気調和機の電源を停止させる機能を有する空気調和機には、室内ユニットにリモコンスイッチを収納するスイッチ収容部があり、スイッチ収容部内には、電源スイッチが設けられており、エアコンの運転を停止している状態でリモコンスイッチをスイッチ収容部内へ収納することにより、リモコンスイッチが電源スイッチに当接して接点を開放し、電源を遮断していた（例えば、特許文献１参照）。
【０００３】
図４は、特許文献１に記載された従来の設置状態を示すものである。図４に示すように、エアコン１００、室内ユニット１０１、ケーシング１０２、吹出し口１０３、上下フラップ１０４、受光部１０５、スイッチ収納部１０６、リモコンスイッチ１０７とから構成されている。
【特許文献１】特開２０００−７４４６２号公報
【発明の開示】
【発明が解決しようとする課題】
【０００４】
しかしながら、前記従来の構成では、運転オフ後わざわざリモコンスイッチ収納部に収納しないと電源を遮断することができないので、収納を忘れると電源が遮断できないという課題を有していた。
【０００５】
本発明は、前記従来の課題を解決するもので、複数の室内機と室外機のシステムで遠隔から制御する場合、遠隔から空気調和機を管理するビル管理者が電源を管理することができ、省エネを考慮した空気調和機の遠隔制御装置を提供することを目的とする。
【課題を解決するための手段】
【０００６】
前記従来の課題を解決するために、本発明の空気調和機の遠隔制御装置は、遠隔制御装置内に設けられた開閉手段を使用し、機器の電源を遮断することができる。
【０００７】
これによって、遠隔制御を行うビル管理者が機器の電源を管理することができ、省エネを図ることができる。
【発明の効果】
【０００８】
本発明の空気調和機の遠隔制御装置は、複数の室内機と室外機のシステムで遠隔から制御する場合、遠隔から空気調和機を管理するビル管理者が遠隔制御装置から電源を管理することができるので、電源を切り忘れることなく省エネを図ることができる。
【発明を実施するための最良の形態】
【０００９】
第１の発明は、複数の室内機と室外機を遠隔で制御する遠隔制御装置と、遠隔制御装置内に空気調和機内に設けられたパワーリレーを開閉する開閉手段と、空気調和機を遠隔制御装置から複数の室内機と室外機を制御し、開閉信号を送受信する制御手段と、遠隔制御装置と室内機と室外機とを接続する通信線とから構成される空気調和機の遠隔制御装置とすることにより、遠隔から空気調和機を管理するビル管理者が遠隔制御装置から電源を管理することができるので、電源を切り忘れることなく省エネを図ることができる。
【００１０】
第２の発明は、特に第１の発明の遠隔制御装置に、機器の電源状態を表示する表示手段
を備えたことにより、管理者が電源状態を把握することができる。
【００１１】
第３の発明は、特に第１の発明の遠隔制御装置に、機器の電源を個別、またはグループに設定できる個別／グループ設定手段を備えたことにより、遠隔制御装置から個別、またはグループそれぞれの機器のパワーリレーを開閉することができる。
【００１２】
（実施の形態１）
図１は、本発明の実施の形態１における空気調和機の構成ブロック図である。同図の空気調和機の遠隔制御装置のシステムにおいて、複数の室内機と室外機を遠隔で制御する遠隔制御装置と、空気調和機内に設けられたパワーリレーを開閉する開閉手段と、空気調和機を遠隔制御装置から複数の室内機と室外機を制御し、開閉信号を送受信する制御手段と、遠隔制御装置と室内機と室外機とを接続する通信線とから構成されている。
【００１３】
以上のように構成された空気調和機の遠隔制御装置ついて、以下その動作、作用を説明する。
【００１４】
まず、遠隔制御装置１内に搭載された開閉手段２を制御部３に入力することで、制御部３が室外機７、室内機８ａ、室内機８ｂの制御部４に通信線５を介して開閉信号を送信し、パワーリレー６を開閉する。
【００１５】
以上のように、遠隔制御装置１内に搭載された開閉手段２で、開閉信号を送信することで、遠隔から空気調和機を管理するビル管理者が遠隔制御装置１から電源を管理することがでるものである。
【００１６】
（実施の形態２）
図２は、本発明の第２の実施の形態の空気調和機の構成ブロック図である。本発明の第１の実施の形態で示した空気調和機の遠隔制御装置１に表示手段９を構成した空気調和機の遠隔制御装置である。
【００１７】
以上のように構成された空気調和機の遠隔制御装置について、以下その動作、作用を説明する。
【００１８】
まず、開閉手段２を制御部３に入力する際に、制御部３が機器の電源状態を表示手段９により表示することができる。
【００１９】
以上のように表示手段９を備えたことにより、遠隔から空気調和機を管理するビル管理者が機器の電源状態を把握することができるものである。
（実施の形態３）
図３は、本発明の第３の実施の形態の空気調和機の構成ブロック図である。本発明の第１の実施の形態で示した空気調和機の遠隔制御装置１に個別／グループ設定手段１０を構成した空気調和機の遠隔制御装置である。
【００２０】
以上のように構成された空気調和機の遠隔制御装置について、以下その動作、作用を説明する。
【００２１】
まず、遠隔制御装置１内に搭載された個別／グループ設定手段１０で、パワーリレー６を開閉したい機器を選択し、開閉手段２を制御部３に入力することで、選択された機器のパワーリレー６を開閉する。
【００２２】
以上のように、遠隔制御装置１内に搭載された個別／グループ設定手段１０でパワーリ
レー６を開閉したい機器を選択し、開閉手段２で開閉信号を送信することで、パワーリレー６を開閉したい機器を個別または、グループで開閉できるものである。
【産業上の利用可能性】
【００２３】
以上のように、本発明は、複数の室内機と室外機のシステムで遠隔から制御する場合、遠隔から空気調和機を管理するビル管理者が遠隔制御装置から電源を管理することができるので、遠隔制御機器を用いたマルチ型エアコンのシステムに適する。
【図面の簡単な説明】
【００２４】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】従来の空気調和機における概略斜視図
【符号の説明】
【００２５】
１  遠隔制御装置
２  開閉手段
３  制御部
４  制御部
５  通信線
６  パワーリレー
７  室外機
８  室内機ａ
８  室内機ｂ
９  表示手段
１０  個別／グループ設定手段
１００  エアコン
１０１  室内ユニット
１０２  ケーシング
１０３  吹出し口
０４  上下フラップ
０５  受光部
０６  スイッチ収納部
０７  リモコンスイッチ
【図１】
2009074712.tif 000003
【図２】
2009074712.tif 000004
【図３】
2009074712.tif 000005
【図４】
2009074712.tif 000006